(57)【特許請求の範囲】
【請求項１】
机上に設置される棚装置であり、
水平姿勢に配置された棚板と、広幅面が前後方向に広がるように鉛直姿勢に配置された外側板又は中仕切板とを有しており、前記外側板及び中仕切板のうち少なくともいずれか一方の広幅面に、電源用又は通信用若しくは両方の電気的接続器が固定されている構成であって、
前記電気的接続器は、上下長手の前面と後面及び前後長手の上面と下面とから成る外周面と、前記外周面に連続した左右の側面とを有していて、左右方向の厚さが前後寸法及び上下寸法に対して遥かに小さい板状の形態であり、前記電気的接続器の前面と後面とに、電気的な接続を行うプラグを抜き差し自在な複数の接続口が、前記前面及び後面の縦長中心線を挟んで前記外側板又は中仕切板と反対側にずらした状態で上下方向に１列に並べて配置されている、
机上用棚装置。
【請求項２】
前記棚板は左右の外側板で支持されており、前記左右の外側板のうち、少なくともいずれか一方の内側面でかつ前記棚板と机上面との間の高さ位置に、前記電気的接続器が固定されている、
請求項１に記載した机上用棚装置。
【請求項３】
前記電気的接続器は電源用のコンセントである、
請求項１又は２に記載した机上用棚装置。
【請求項４】
前記電気的接続器は電源用のコンセントであって、前記コンセントの後面に、灯具用接続口と他の据え置き式機器用接続口とが上下に離れて形成されている一方、前記コンセントの前面には、灯具への給電をＯＮ・ＯＦＦするスイッチと、前記スイッチの上下に配置された複数の一般用接続口とが設けられている、
請求項１又は２に記載した机上用棚装置。
【請求項５】
前記灯具用接続口と他の据え置き式機器用接続口との間にブレーカーリセットスイッチが配置されており、電源ケーブルはブレーカーリセットスイッチの近傍において電気的接続器の内部に引き込まれている、
請求項４に記載した机上用棚装置。
【請求項６】
机上に設置される棚装置であり、
水平姿勢に配置された棚板と、広幅面を前後方向に向けて鉛直姿勢に配置された左右の外側板又は中仕切板とを有していて、前記外側板及び中仕切板のうち少なくともいずれか一方の広幅面に、電源用又は通信用若しくは両方の電気的接続器が固定されており、
前記電気的接続器は、上下長手の前面と後面並びに前後長手の上面と下面とを有していて、左右方向の厚さが前後寸法及び上下寸法に対して遥かに小さい形態であり、前記電気的接続器の前面と後面とに、電気的な接続を行うプラグを抜き差し自在な接続口が上下方向に並ぶように配置されており、
更に、前記棚板は前記左右の外側板で支持されており、前記左右の外側板のうち、少なくともいずれか一方の内側面でかつ前記棚板と机上面との間の高さ位置に、前記電気的接続器が固定されている構成であって、
前記電気的接続器における左右の広幅面のうち一方の広幅面の前後略中間部に、前記外側板又は中仕切板に貫通した左右横長のねじをねじ込みできる雌ねじ穴が、上下に離反して２つ形成されており、２つの雌ねじ穴のうち一方には位置決めピンをねじ込んでいる一方、
前記左右の外側板には、前記電気的接続器の上下雌ねじ穴と同じ間隔の上下一対の貫通穴が空いており、１つの電気的接続器を前後姿勢は変えずに上下と左右とに反転させて左右の外側板に付け替えて、前記位置決めピンで姿勢を保持しつつ１本のビスで固定することが許容されている、
机上用棚装置。
【発明の詳細な説明】
【技術分野】
【０００１】
本願発明は、いわゆる学習机に好適な机上用棚装置に関するものである。
【背景技術】
【０００２】
主に児童が使用する机として、机上面の後部に棚装置を配置したタイプのものがあり、これは学習机として広く知られている。この学習机の棚装置には、灯具等の各種の電気機器に給電するためのコンセントを設けており、コンセントの形態や配置について様々な提案がなされている。
【０００３】
その例として特許文献１には、背板に左右長手の長穴を形成して、長穴に後ろから裏当て材を嵌め入れ、裏当て材に後ろから挿通したビスをコンセントの本体にねじ込む構造が開示されており、この構成では、コンセントの左右位置を調節できる。プラグ接続口（差し込み口）はコンセントの前面と上面に開口しており、上面のプラグ差し込み口には灯具用のプラグが接続されるようになっている。
【０００４】
他方、特許文献２には、棚板の下面にコンセントを配置することが開示されている。この特許文献２では、一般用の接続口はコンセントの前面に開口して、灯具用の接続口はコンセントの後面に開口しており、更に、コンセントの前面には、灯具をＯＮ・ＯＦＦするスイッチが設けられている。
【先行技術文献】
【特許文献】
【０００５】
【特許文献１】特許第４７９５７５８号公報
【特許文献２】特開２００２−３１３５０３号公報
【発明の概要】
【発明が解決しようとする課題】
【０００６】
特許文献１，２とも、机上で使用する電気機器のプラグは手前から抜き差しするため、プラグの抜き差しは自然な動作で簡単に行える。しかし、特許文献１のように背板の前面にコンセントを固定した構成では、コンセントの接続口が視認しにくくなってプラグの抜き差しが面倒になる問題や、机上面にテキスト等の物品を立てた状態で収納するにおいて、物品がコンセントにつかえて深く入り込ませることができないという問題がある。
【０００７】
他方、特許文献２のようにコンセントを棚板の下面に配置した構成では、コンセントは棚板の前端部にも配置できるため、コンセントの接続口の視認性に優れていて、プラグの抜き差しを至極容易に行える利点があり、更に、物品をコンセントの下方の机上面に載置した場合、その物品を背板に当たる位置まで深く入り込ませることができて、物品を整理して収納することにも貢献できる。
【０００８】
本願発明は、このような現状に鑑みなされたものであり、特許文献２のように、プラグの抜き差しが容易でしかも物品を奥まで入り込ませるという利点は保持しつつ、更に使い勝手に優れた構成とすることを課題とするものである。
【課題を解決するための手段】
【０００９】
本願発明は机上に設置される棚装置に係るもので、この机上用棚装置は、
「水平姿勢に配置された棚板と、広幅面が前後方向に広がるように鉛直姿勢に配置された外側板又は中仕切板とを有しており、前記外側板及び中仕切板のうち少なくともいずれか一方の広幅面に、電源用又は通信用若しくは両方の電気的接続器が固定されている」
という基本構成になっている。
【００１０】
そして、請求項１の発明では、上記基本構成において、
「前記電気的接続器は、上下長手の前面と後面及び前後長手の上面と下面とから成る外周面と、前記外周面に連続した左右の側面とを有していて、左右方向の厚さが前後寸法及び上下寸法に対して遥かに小さい板状の形態であり、前記電気的接続器の前面と後面とに、電気的な接続を行うプラグを抜き差し自在な複数の接続口が、前記前面及び後面の縦長中心線を挟んで前記外側板又は中仕切板と反対側にずらした状態で上下方向に１列に並べて配置されている」
という構成になっている。
【００１１】
本願発明において、電気的接続器は、電源ケーブルの接続や分配のみに使用されるものと、ＬＡＮケーブルや電話線等の通信ケーブルの接続や分配のみに使用されるもの、若しくは電源ケーブルと通信ケーブルとの両方の接続や分配に使用されるものを含んでいる。電源のみに使用される場合はコンセントになる。電源と通信との両方の接続に使用される場合も、電源が主である場合は、通信ケーブル接続機能付きコンセントということができる。通信線のみの接続に使用に使用される場合は、ハブやルータも含み得る。
【００１２】
本願発明は様々の構成を含んでおり、その例を請求項２以下で特定している。このうち請求項２の発明では、請求項１において、
「前記棚板は左右の外側板で支持されており、前記左右の外側板のうち、少なくともいずれか一方の内側面でかつ前記棚板と机上面との間の高さ位置に、前記電気的接続器が固定されている」
という構成になっている。
【００１３】
請求項３の発明は、請求項１又は２において、
「前記電気的接続器は電源用のコンセントである」
という構成になっている。
【００１４】
請求項４の発明は、請求項１又は２において、
「前記電気的接続器は電源用のコンセントであって、前記コンセントの後面に、灯具用接続口と他の据え置き式機器用接続口とが上下に離れて形成されている一方、前記コンセントの前面には、灯具への給電をＯＮ・ＯＦＦするスイッチと、前記スイッチの上下に配置された複数の一般用接続口とが設けられている」
という構成になっている。
【００１５】
請求項５の発明は、請求項４において、
「前記灯具用接続口と他の据え置き式機器用接続口との間にブレーカーリセットスイッチが配置されており、電源ケーブルはブレーカーリセットスイッチの近傍において電気的接続器の内部に引き込まれている」
という構成になっている。
【００１６】
請求項６の発明は、
「机上に設置される棚装置であり、
水平姿勢に配置された棚板と、広幅面を前後方向に向けて鉛直姿勢に配置された左右の外側板又は中仕切板とを有していて、前記外側板及び中仕切板のうち少なくともいずれか一方の広幅面に、電源用又は通信用若しくは両方の電気的接続器が固定されており、
前記電気的接続器は、上下長手の前面と後面並びに前後長手の上面と下面とを有していて、左右方向の厚さが前後寸法及び上下寸法に対して遥かに小さい形態であり、前記電気的接続器の前面と後面とに、電気的な接続を行うプラグを抜き差し自在な接続口が上下方向に並ぶように配置されており、
更に、前記棚板は前記左右の外側板で支持されており、前記左右の外側板のうち、少なくともいずれか一方の内側面でかつ前記棚板と机上面との間の高さ位置に、前記電気的接続器が固定されている」
という基本構成において、
「前記電気的接続器における左右の広幅面のうち一方の広幅面の前後略中間部に、前記外側板又は中仕切板に貫通した左右横長のねじをねじ込みできる雌ねじ穴が、上下に離反して２つ形成されており、２つの雌ねじ穴のうち一方には位置決めピンをねじ込んでいる一方、前記左右の外側板には、前記電気的接続器の上下雌ねじ穴と同じ間隔の上下一対の貫通穴が空いており、１つの電気的接続器を前後姿勢は変えずに上下と左右とに反転させて左右の外側板に付け替えて、前記位置決めピンで姿勢を保持しつつ１本のビスで固定することが許容されている」
という構成になっている。
【発明の効果】
【００１７】
本願発明では、コンセント等の電気的接続器は、棚装置を構成する外側板又は中仕切板の内側面に固定されるため、ノート等の物品を背板に当たるまで奥深く収納することができる。しかも、電気的接続器は前後面及び上下面とも細長い形状であって、全体的に薄型の構造になっているため、電気的接続器が棚装置の内部に占める左右寸法は相当に小さくなる。その結果、ノート等の物品を収納するスペースの左右間隔をできるだけ広く取ることができて、物品の収納性に優れている。
【００１８】
また、電気的接続器は外側板又は中仕切板の前端側に寄せて配置できるため、前面に形成している接続口を容易に視認できて、プラグの抜き差しを容易に行うことができる。また、電気的接続器は外側板又は中仕切板の側面に設けているため、例えば、電気的接続器を棚板の下方に配置している場合、テキストやノートなどの物品を棚板下方の空間に収納するにおいて、物品の高さが高くてもその上端が電気的接続器につかえることはない。この面からも、物品の収納性に優れている。
【００１９】
さて、棚装置を有する机で使用する電気機器や電子機器は、灯具を除いて机上に載置することが多い。従って、ケーブル類の美麗な処理の点からは、コンセント等の電気的接続器は机上に近い位置（下部）に配置するのが合理的であると云える。この点、請求項２では、電気的接続器は棚板と机上面との間に配置されているため、ケーブルが上下に長く垂れることを抑制して、配線をすっきりとさせることができる。
【００２０】
家庭用電源コンセントの接続口は一般に２つの電極穴が１セットになっており、これに対応してプラグも２枚の電極が１セットになっている。そして、電源用のプラグは電極の並び方向の寸法が大きくて、電極の並び方向と交叉した方向は幅狭になっていることが一般的である。従って、本願発明のように、接続口が上下に並んだ形態を採用すると、接続口の左右横幅をできるだけ小さくして、棚装置の内部への物品の収納量増大に貢献できる。
【００２１】
しかも、一対の電極穴が上下に並んでいると、プラグは左右両側から指で摘んで抜き差し操作することになるが、接続口が外側板又は中仕切板と反対側にずれているため、指が外側板や中仕切板に当たることを防止して、プラグの抜き差しが一層容易になる。
【００２２】
更に、例えば、変圧器内蔵式プラグやアース部付きプラグ、或いは異形プラグのためのアダプタのように、コンセントへの当接面積が大きいプラグであっても、接続口が外側板又は中仕切板と反対側（棚装置の内部側）にずれていることにより、プラグを外側板や中仕切板に干渉させることなく抜き差しすることができる。すなわち、コンセントの左右幅寸法を大きくすることなく、大型のプラグも使用可能になる。
【００２３】
学習机用の棚装置には灯具を設置していることが普通であり、特許文献２のようにコンセントに灯具のスイッチを設けると、手を大きく伸ばさなくても灯具の電源をＯＮ・ＯＦＦできる。従って、灯具の点灯・消灯の操作が容易になる。本願発明でも、請求項４の構成を採用すると、手を少し伸ばしただけで灯具をＯＮ・ＯＦＦできるため、灯具の使い勝手がよい。
【００２４】
更に、請求項４では、スイッチを挟んだ上下の接続口の間隔が大きく開いているため、上記した変圧器内蔵式プラグや、丸棒状電極式プラグを接続するためのアダプタなど、通常の電源プラグより大きいプラグ類であっても、他の接続口を塞がない状態に接続することができる。
【００２５】
また、例えば、鉛筆削りやデスクトップ型パソコンのように、机上に載置したままにしておくことが多い機器（据え置き式の機器）があり、これらのプラグをコンセントの前面に差し込んでいると、他の機器を使用できなくなったり、誤って据え置き式機器のプラグを抜いてしまったりすることがある。このうち、他の機器を使用できなくなる点については、コンセントの前面における接続口の数を増やすことで対応可能と云えるが、これではコンセントが大型化するという問題がある。
【００２６】
これに対して本願請求項４の構成を採用すると、コンセントの後面のスペースを有効利用して接続口の数を増やすことができ、据え置き式機器の電源プラグはコンセントの後面に接続できるため、コンセントの大型化を防止しつつ使用できる機器の数（接続口の口数）を増やすことができると共に、誤って据え置き式機器の電源プラグを抜いてしまう誤操作を防止できる。
【００２７】
コンセントには、過電流が流れた場合に通電を遮断するブレーカー機能を内蔵できるが、ブレーカーはボタンによってリセットできるようにする必要がある。そして、請求項５のように、リセットボタンの上下両側に灯具用接続口と据え置き式機器用接続口とを設けると、灯具用接続口と据え置き式機器用接続口との間隔を広げることができるため、大型のプラグであっても支障なく接続できると共に、一方のプラグの抜き差しに際して他のプラグに触れるような不具合も無くすことができる。
【００２８】
コンセント等の電気的接続器は、左外側板に固定した右側板に固定したり、ユーザーの好みや机上に設置する機器との関係等に対応して、左使いにしたり右使いにしたりできるようにしておくのがユーザーフレンドリーである。この場合、右使い用と左使い用とを別々に製造すると、それだけ電気的接続器の種類が増えるため、コストが嵩んだり商品の管理の手間が増えたりする問題がある。また、電気的接続器は、プラグの挿脱に際して回転しない状態に保持する必要があり、そのためには２本のビスで固定したらよいと云えるが、これでは、ねじ込みに手間がかかる問題がある。
【００２９】
これに対して請求項６の構成を採用すると、１種類で左使いと右使いとに対応できるため、コストアップを防止できる。また、１本のビスを使用した固定であっても、電気的接続器は位置決めピンによって姿勢変更不能に保持されるため、取り付け容易な電気的接続器でありながら、プラグの抜き差しを安定して行うことができる。なお、電気的接続器は上下左右にひっくり返すことで右使いと左使いとに対応できるが、左使いでも右使いでもビスの高さを同じにしたい場合は、電気的接続器にねじ込んでいる位置決めピンの上下位置を変更したらよい。
【図面の簡単な説明】
【００３０】
【図１】実施形態に係る学習机の部分分離斜視図である。
【図２】棚装置の正面図である。
【図３】図２のIII-III 視断面図である。
【図４】（Ａ）は要部の分離斜視図、（Ｂ）は要部の正面図である。
【図５】（Ａ）は要部斜視図、（Ｂ）は電気的接続器を後ろから見た斜視図である。
【図６】（Ａ）は図３のVIA-VIA 視断面図、（Ｂ）は位置決めピンの側面図、（Ｃ）は位置決めピンの正面図である。
【図７】電気的接続器を示す図で、（Ａ）はベース板の側面図、（Ｂ）は（Ａ）のＢ−Ｂ視図、（Ｃ）は（Ａ）のＣ−Ｃ視図、（Ｄ）はカバーの側面図、（Ｅ）は（Ｄ）のＥ    −Ｅ視図、（Ｆ）は（Ｄ）のＦ−Ｆ視図である。
【発明を実施するための形態】
【００３１】
(1).概要
次に、本願発明の実施形態を図面に基づいて説明する。まず、机と棚装置との概要を図１〜３に基づいて説明する。本願では方向を特定するために左右や前後の文言を使用しているが、これらの文言は、机を普通の姿勢で使用する人の向きを基準にしている。前後方向は奥行き方向と同じで、左右方向は間口方向と同じである。
【００３２】
本実施形態は、学習机１の木製棚装置に適用している。学習机１は、平面視四角形（左右横長の長方形）の天板２と、これを支持する左右の脚３とを有しており、天板２の右側部の下方には、上下複数段の引出しを有する袖キャビネット部（図示せず）を設けている。なお、学習机とは別体の袖キャビネットを設けてもよく、この場合は、袖キャビネットは、天板２の下方の空間の左右いずれの部位にも配置できる。
【００３３】
天板２の後部には棚装置４が配置されている。棚装置４は、その左右側端を構成する左右の外側板５，６と、左右外側板５，６の間に水平姿勢に配置された棚板７と、左右外側板５，６の後端部の間に配置された背板８とを有している。外側板５，６は縦長長方形で机上面に直立しており、図示しないクランプ金具によって天板２に固定されている。棚板７は、右側寄りの部位において鉛直姿勢の中仕切板９で左右に分断されている。
【００３４】
そして、中仕切板９と右側の外側板６との間でかつ棚板７の下方に、上下２段の引出し１０を配置している。引出し１０は、中仕切板９及び右外側板６に設けたレール部に前後動自在に支持されている。従って、中仕切板９の下端は机上面まで届いておらず、中仕切板９と机上面との間に大きな間隔が空いている。図３に示すように、棚板７の前端部は木製の化粧縁材７ａで構成されている。
【００３５】
背板７は、その下端面を天板２に当接させた状態で直立しており、左右外側板５，６の内側面にダボ等で固定されている。図３に明示するように、背板８の後面は、外側板５，６の後端面よりも少し手前にずれている。従って、例えば外側板５を建物の壁に当てると、壁と背板８との間に若干の前後間隔の空間が空く。図２のとおり、背板８の左右下コーナー部には、ケーブル類を挿通するための配線用切り欠き１１を形成している。
【００３６】
例えば図１に示すように、左右の外側板５，６は、その上部後端が丸棒状の補強バー１２で連結されている。補強バー１２は、中仕切板９の上部後端に貫通している。中仕切板９は背板８と前後に噛み合っており、両者はダボ等で固定されている。
【００３７】
棚板７のうち左外側板５と中仕切板９との間の部分には、複数枚の可動仕切板１３が左右移動自在に配置されている。可動仕切板１３の後端部でかつ下端部には、図３に側面形状のみを示す安定化部材１４が固定されており、安定化部材１４に設けたＬ形の左右張り出し部１４ａで棚板７を後方及び下方から抱持している。従って、棚板７のうち左外側板５と中仕切板９との間の部位は、背板８との間に若干の隙間が空いている。
【００３８】
天板２のうち左外側板５に近い側の下面には、相対抗した左右一対の支持板１５を固定し、左右の支持板１５によって２段のプレート１６を前後動自在に支持している。プレート１６は、支持板１５に形成した溝に嵌まっている。プレート１６には、児童が学校から持ち帰ったプリント類や本人のファイル、ノートなど、薄い物品を何でも載せて収納できる。
【００３９】
左外側板５には、灯具１８を取り付けている。灯具１８は、支柱１９とその上端に取り付けた前向きのアーム２０、アーム２０の前端に取り付けた下向き開口のシェード２１を有しており、シェード２１の内部に、直管状のＬＥＤランプ又は蛍光灯ランプを配置している。支柱１９の下端には、下向きの足部２２ａを有するベース体２２が取り付けられており、足部２２ａが、左外側板５の外面に固定された受け金具２３の筒部２３ａに水平旋回自在に嵌め込まれている。
【００４０】
支柱１９は、水平状の軸心回りに前後回動するようにベース体２２に連結されており、従って、支柱１９は前後に傾動させることができる。また、アーム２０も、水平状の軸心回りに回動させ得るように（首振りできるように）支柱１９の上端にジョンイントを介して連結されている。更に、シェード２１は、水平旋回させ得るようにアーム２０の前端に連結されている。
【００４１】
(2).コンセントの構造
図２，３のとおり、左外側板５の内側面のうち手前側でかつ下端寄り部位に、電気的接続器の一例としての電源分配用コンセント２４を取り付けている。次に、図４以下の図面も参照してコンセント２４を説明する。
【００４２】
コンセント２４は、左右の側面が側面視において僅かに上下長手の長方形であり、全体として板状の外観を成している。すなわち、前面２５と後面３０と上下面とで外周が構成されて、外周面と左右側面が連続しているが、前面２５及び後面３０は上下に長い長方形で、上面と下面とは前後に長い長方形であり、上下高さ及び前後巾に対して左右厚さは遥かに小さい。
そして、図４や図５のとおり、前面２５のうち上下中間高さ位置には灯具用スイッチ２６を設け、前面２５のうち灯具用スイッチ２６を挟んだ上下２か所には、上下２つの電極穴２７ａ，２７ｂから成る一般用接続口２７が１列に並べて形成されている。
【００４３】
机上で使用する電気・電子機器として、例えば、ゲーム機、携帯電話やスマホの充電器、ノートパソコン、電子学習機のような携帯式機器があるが、これらは、机１に常備しているわけではない機器であり、そこで、これらを便宜的に一般機器と呼んで、一般機器に給電するためのプラグを一般用プラグと称して符号２８で示している。一般用プラグ２８の接続に一般用接続口２７が使用されている。
【００４４】
実施形態の灯具用スイッチ２６は円形のプッシュ式であり、コンセント２４の前面２５から突出はしていないが、前面２５から突出させてもよい。また、灯具用スイッチ２６としては、人が指先を触れるとＯＮ・ＯＦＦするタッチ式なども採用可能であり、タッチ式の場合は、横長の形態や縦長の形態など、各種の形態を採用できる。
【００４５】
一般用接続口２７は、上下に並列配置された２つの電極穴２７ａ，２７ｂで構成されているが、実施形態では、上下の電極穴２７ａ，２７ｂは左右長さが相違している。これは、一般用プラグ２８等のプラグにおいて、２枚の電極板のうち片方の電極板の先端部を広幅に設定したロック機能付きのものがあることに対応したものであり、プラグ２８を少しねじることにより、ロックしたりロック解除したりすることができる。
【００４６】
図４や図５に明示するように、灯具用スイッチ２６は、コンセント２４の左右幅方向の中間部に配置している。換言すると、灯具用スイッチ２６の中心は、コンセント２４の縦長中心線２９（図４（Ｂ）参照）の線上に位置している。他方、一般用接続口２７は、縦長中心線２９を挟んで左外側板５と反対側（棚装置４の内部側）に若干の寸法Ｅだけずれている。なお、灯具用スイッチ２６も棚装置４の内部側にずらして、一般用接続口２７と灯具用スイッチ２６を一直線状に配置することは可能である。
【００４７】
図５（Ｂ）に示すように、コンセント２４の後面３０のうち上下中間高さ位置には、ブレーカーリセットボタン３１を設けて、リセットボタン３１を挟んだ上下両側に、灯具用接続口３２と、その他据え置き式機器用接続口３３とが分かれて形成されている。灯具用接続口３２を構成する２つの電極穴３２ａ，３２ｂも左右長さが相違しており、また、その他据え置き式機器用接続口３３を構成する上下２つの電極穴３３ａ，３３ｂも、左右長さが相違している。
【００４８】
灯具１８は棚装置４に常備されている据え置き式機器であるので、灯具用接続口３２も据え置き式機器用接続口の一種であるが、本実施形態では、コンセント２４に灯具用スイッチ２６を有していて専用の灯具用接続口３２が必要になるため、灯具１８以外の機器への給電に使用する接続口をその他据え置き式機器用接続口３３と表示している。
【００４９】
灯具用接続口３２は、灯具用スイッチ２６とセットになっている。そこで、灯具用プラグ３４（図３参照）の接続間違いを無くすべく、図５（Ｂ）及び図７（Ｅ）に簡略して示すように、灯具用接続口３２の個所を僅かに段落ちさせた凹部３２ｃに形成している。凹部３２ｃに代えて、リブで囲ったり溝で囲ったりしてもよい。
【００５０】
その他据え置き式機器用接続口３３には、灯具１８以外のその他据え置き式機器用プラグ３５を接続できる。その他据え置き式機器としては、電動鉛筆削りやデスクトップ型パソコン、補助灯具などが挙げられる。もとより、その他据え置き式機器用プラグ３５を一般用接続口２７に接続することは可能であるが、その他据え置き式機器用プラグ３５を後面３０のその他据え置き式機器用接続口３３に接続することにより、コンセント２４の前面２５の一般用接続口２７を２台の機器の給電に使用できて便利である。
【００５１】
図６に示すように、コンセント２４は、基本的には平板状の基板３７と、これに被さった状態に嵌合したカバー３８とを有しており、両者でコンセント２４のハウジング（本体）が構成されている。基板３７及びカバー３８とも合成樹脂製である。
【００５２】
そして、図７に示すように、基板３７とカバー３８との両方に、手前側の上下中間部に位置した灯具用スイッチ配置部３９ａ，３９ｂと、手前側でかつ灯具用スイッチ配置部３９ａ，３９ｂの上下に位置した２つの一般用電極配置部４０ａ，４０ｂと、後ろ側の上下中間部に位置したブレーカー配置部４１ａ，４１ｂと、後ろ側でかつブレーカー配置部４１ａ，４１ｂの下方に位置した灯具用電極配置部４２ａ，４２ｂと、後ろ側でかつブレーカー配置部４１ａ，４１ｂの上方に位置したその他据え置き機器用電極配置部４３ａ，４３ｂとを形成している。
【００５３】
電極板（図示せず）や灯具用スイッチ４４、ブレーカー４５は基板３７とカバー３８とで挟み保持されている。図７（Ａ）に示すように、基板３７の各電極配置部４０ａ〜４３ａにはビス挿通穴５１が貫通している一方、図７（Ｄ）に示すように、カバー３８の各電極配置部４０ｂ〜４３ｂには雌ねじ穴５２が形成されており、基板３７に挿通したビスをカバー３８の雌ねじ穴５２にねじ込むことにより、基板３７とカバー３８とは一体に保持されている。
【００５４】
図７（Ｅ）や図４（Ａ）に示すように、カバー３８の後面３０の壁には基板３７に向いた切り欠き溝５３が形成されており、この切り欠き溝５３を介して電源ケーブル５４をコンセント２４の内部に引き込んでいる。一方、図７（Ａ）に示すように、基板３７には、切り欠き溝５３の開口縁を塞ぐ突起５５が形成されており、突起５５の存在により、切り欠き溝５３は穴の状態になっている。
【００５５】
図７（Ｄ）から理解できるように、電源ケーブル５４はブレーカー４５に接続されており、ブレーカー４５から分岐した枝電源線５６が、各一般用電極、その他据え置き機器用電極、灯具用電極にそれぞれ接続されており、ブレーカー４５と灯具用電極との間に灯具用スイッチ２６が介在している（ブレーカーと灯具用スイッチ２６との間に灯具用電極を介在させてもよい。）。カバー３８には、枝電源線５６を整理して配線するための通路形成リブ５７を形成している。
【００５６】
図６（Ａ）及び図７（Ｄ）に示すように、基板３７の左右中間部でかつ上下２か所の部位に、外側からビスをねじ込みできる雌ねじ穴５８を形成している。雌ねじ穴５８は上下対称の位置に形成されている。実施形態では、基板３７に設けたホルダー部５９に六角ナット（角形ナット）６０を配置することによって雌ねじ穴５８を形成しており、ナット６０は、カバー３８に設けた筒状のボス部６１によって抜け不能に保持されている。なお、ナット６０を使用せずに、基板３７に形成したボス部（或いは単なる穴）に雌ねじを直接形成することも可能である。
【００５７】
外側板５，６の手前側の部位には、コンセント２４における上下雌ねじ穴５８の上下間隔と同じ間隔で、上下２つの取り付け穴６２が空いている。そして、コンセント２４における上の雌ねじ穴５８に、頭付きボルトを代用した位置決めピン６３をねじ込んで、この位置決めピン６３を上の取り付け穴６２に嵌めることにより、１本のビス６４による締結でありながら、コンセント２４を水平状の軸心回りに回転不能に保持できる。
【００５８】
つまり、１本のビス６４のみの締結で位置決めピン６３がない場合は、プラグ２８，３３，３５の抜き差しに際して、コンセント２４がビス６４の軸心回りに旋回してしまうおそれがあり、さりとて、２本のビスで固定すると、着脱に手間がかかるが、本実施形態のように位置決めピン６３を使用することにより、１本のビス６４の締結でありながら、コンセント２４を回転不能に保持できるのである。
【００５９】
図２に一点鎖線で示すように、コンセント２４は，右外側板６の内側面に付け替えることができる。この場合は、上下面と左右面とがそれぞれ逆になるように１８０°反転させることにより、一般用接続口２７を手前に向けつつ、雌ねじ穴５８及び位置決めピン６３を右外側板５に向けた姿勢にして、ビス６４で締結できる（灯具用接続口３２と据え置き式機器用接続口３３とは、左使いと右使いとで上下が逆になる。）。
【００６０】
また、左外側板５に取り付けた状態から１８０°反転させると、位置決めピン６３が下に位置するが、位置決めピン６３を上に付け替えることにより、下の取り付け穴６２にビス６４を挿通することができる（位置決めピン６３を下にして、上の雌ねじ穴５８にビス６４をねじ込むことは可能である。）。
【００６１】
既述のとおり、位置決めピン６３は頭付きボルトで代替しており、図６（Ｂ）（Ｃ）に示すように、頭６３ａの頂面にマイナス型の係合溝（スリワリ）６５を形成することにより、マイナスドライバーやコインで回転操作できるようになっている。また、頭６３ａの外周に溝６６を形成するなどして、頭６３ａの外周を凹凸形状とすることにより、指で摘んで回転させることも容易に行えるように配慮されている（指への引っ掛かりを良くしている。）。
【００６２】
(3).まとめ
以上のとおり、本実施形態のコンセント２４は外側板５，６の内側面に固定されるものであるため、棚板７の下方にノートやテキストなどの冊子類を収納するにおいて、冊子類を棚板７の下面に近接させた状態でも収納できる。また、コンセント２４は薄型でしかもプラグ２８，３３，３５は前方又は後方に向いているため、冊子類の収納容積がプラグ２８，３３，３５によって阻害されることもない。この面でも、冊子類等の物品の収納性を向上できる。
【００６３】
また、実施形態では、コンセント２４は外側板５，６の手前側に寄せて配置しつつ、コンセント２４の前面２５は外側板５，６の前端面よりも少し後ろにずれており、このため、図３に示すように、側面視で一般用プラグ２８が外側板５（６）と重複する。このため、一般用プラグ２８の抜き差しの容易性を高めつつ、外側板５（６）が一般用プラグ２８に対する保護部材の役割を果たしていて、誤って一般用プラグ２８に外側から物が当たるような不具合を防止又は抑制できる。
【００６４】
また、一般用接続口２７は棚装置４の内側にずれている（偏心している）ため、プラグ２８，３３，３５の抜き差しに際して外側板５，６に指が当たることを防止でき、このため、プラグ２８，３３，３５の抜き差しの操作性が良くなると共に、図４（Ｂ）に示すように、変圧機能付きプラグのような大きな異形プラグ２８′も取り付けることができる。異種電極接続のためのアダプタの接続も容易である。
【００６５】
このように大きな一般用プラグ２８を接続した場合は、一般用プラグ２８が棚装置４よりも棚装置４の内側に突出することは有り得るが、コンセント２４は外側板５，６の前面寄りに位置しているため、一般用プラグ２８の後ろ側に広い収納空間を確保できる。このため、一般用プラグ２８が物品の収納に対して邪魔になる度合いを低くできる。
【００６６】
つまり、物品の前面がコンセント２４の前面よりも後ろに位置しておれば、その物品はコンセント２４に重ねた状態で収納できるのであり、従って、一般用プラグ２８が図４（Ｂ）に一点鎖線で示すように内向きに突出していても、コンセント２４の左右内側を収納部に使用できる度合いが高くなるのである。
【００６７】
更に、本実施形態では、灯具用スイッチ２６を挟んだ上下に一般用プラグ２８が配置されているため、上に位置した一般用プラグ２８の下方の余裕も、下に位置した一般用プラグ２８の上方の余裕も大きくなる。これに加えて、灯具用スイッチ２６はコンセント２４の前面から突出しておらず、大型の異形プラグ２８′や異種プラグ用アダプタであっても、灯具用スイッチ２６と干渉しない状態で上下に配置することが可能である。従って、大きさが異なる各種のプラグ類２８，２８′を、余裕を持って接続することができる。
【００６８】
本実施形態では、コンセント２４の後面３０に、灯具用接続口３２とその他据え置き式機器用接続口３３とが上下に分かれて配置されているため、灯具１８以外の他の据え置き式機器があっても、その他据え置き式機器用プラグ３５を人の手や物が触れにくい状態に保持できる。このため、その他据え置き式機器用プラグ３５を誤って抜いたり物が当たって変形させたりするような不具合を防止できる。
【００６９】
実施形態では、電源ケーブル５４を引き込むための切り欠き溝５３を外側板５（６）の側に寄せて形成しており、このため、電源ケーブル５４の引込み部は外側板５（６）に近寄っている。すると、灯具用プラグ３３やその他据え置き式機器用プラグ３５の抜き差しに際して、電源ケーブル５４が邪魔になることを防止できる。また、ブレーカーリセットボタン３１のブッシュ操作の邪魔にもなりにくい。実施形態のように、ブレーカーリセットボタン３１と切り欠き溝５３とを上下にずらすと、ブレーカーリセットボタン３１の操作性は一層高くなる。
【００７０】
(4).その他
本願発明は、上記の実施形態の他にも様々に具体化できる。図２に二点鎖線で示すように、コンセント２４を中仕切板８に固定することも可能である。コンセントに設ける接続口の口数に限定はないのであり、例えば、コンセントの前面に３つの一般用接続口を設けることも可能である。
【００７１】
また、本願発明は、コンセントの上面と下面とに接続口を設けることを排除するものではない。コンセントの上下両面に接続口を設けると、天板に近づけた状態で左右の外側板５に付け替えた場合、いずれにおいても、コンセントに上からプラグを接続できる利点がある。
【００７２】
また、本願発明は、電話線やＬＡＮケーブルのような通信線の接続にも適用できるし、電源線と通信線との接続に併用することもできる。例えば、前面に電源用接続口のみを設けて後面に通信用接続口を設けたり、前面に電源用接続口のみを設けて、後面には電源用接続口と通信用接続口（例えばＬＡＮケーブル接続口）とを設けるといったことも可能である。
【００７３】
棚装置も様々の構造を含んでいる。例えば、棚板は２段以上あってもよい。引出しやプレートは備えていなくてもよい。机上面まで届く中仕切板を有した構造にすることも可能である。実施形態では、外側板に挿通したビスをコンセントにねじ込んでいるが、コンセントに挿通したビスを外側板や中仕切板にねじ込むことも可能であるし、ビスとナットでコンセントと外側板等とを共締めすることも可能である。
【産業上の利用可能性】
【００７４】
本願発明は、コンセント等の電気的接続器に具体化できる。従って、産業上利用できる。
【符号の説明】
【００７５】
１  学習机
２  学習机の天板
４  棚装置
５，６  外側板
７  棚板
８  背板
９  中仕切板
１０  引出し
１８  灯具
２４  電気的接続器の一例としてのコンセント
２５  コンセントの前面
２６  灯具用スイッチ
２７  一般用接続口
２８  一般用プラグ
３０  コンセントの後面
３１  ブレーカーリセットボタン
３２  灯具用接続口
３３  その他据え置き式機器用接続口
３４  灯具用プラグ
３５  その他据え置き式機器用プラグ
３７  コンセントのハウジングを構成する基板
３９  コンセントのハウジングを構成するカバー
５４  電源ケーブル
５８  雌ねじ穴
６２  取り付け穴
６３  位置決めピン
６４  ビス
【図１】
0006736261.tif 000002
【図２】
0006736261.tif 000003
【図３】
0006736261.tif 000004
【図４】
0006736261.tif 000005
【図５】
0006736261.tif 000006
【図６】
0006736261.tif 000007
【図７】
0006736261.tif 000008